(57)【要約】  かご内には、複数の操作釦が設けられている。制御手段には、各操作釦のうち、複数の操作釦が切替対象釦として設定される。また、制御手段では、複数の操作入力モード間で切り替え可能になっている。各切替対象釦の操作に基づく制御手段の制御は、操作入力モードごとに異なる制御とされる。かご内には、操作されることにより操作入力モードを切り替えるシフト操作部が設けられている。
2008136063.tif 000002
【特許請求の範囲】
【請求項１】
かご内に設けられた複数の操作釦、
複数の操作入力モード間で切り替え可能になっており、各上記操作釦のうち、複数の上記操作釦を切替対象釦として設定し、各上記切替対象釦の操作に基づく制御を上記操作入力モードごとに異なる制御とする制御手段、及び
上記かご内で操作されることにより、上記操作入力モードを切り替えるシフト操作部
を備えていることを特徴とするエレベータ装置。
【請求項２】
各上記切替対象釦は、上記かごの行き先階を選択するための行き先階釦であり、
上記かご内に設けられ、各上記行き先階釦に対応する上記行き先階を特定するための行き先階表示を行う表示装置をさらに備え、
上記制御手段は、上記行き先階表示を上記表示装置に表示させるとともに、上記操作入力モードごとに異なる階床が上記行き先階として特定されるように上記行き先階表示を上記操作入力モードごとに切り替えることを特徴とする請求項１に記載のエレベータ装置。
【請求項３】
上記表示装置は、各上記行き先階釦に個別に設けられ、上記行き先階釦ごとに上記行き先階表示を行うことを特徴とする請求項２に記載のエレベータ装置。
【請求項４】
上記制御手段には、互いに異なる基準値が上記行き先階釦ごとに設定され、
上記制御手段は、各上記基準値に加算される共通の加算値を上記操作入力モードごとに算出するようになっており、
上記表示装置は、各上記行き先階釦と異なる位置に設けられ、上記共通の加算値の表示を共通の上記行き先階表示として表示することを特徴とする請求項２に記載のエレベータ装置。
【請求項５】
各上記切替対象釦は、かごの出入口を開閉するための戸開釦及び戸閉釦とされていることを特徴とする請求項１に記載のエレベータ装置。
【請求項６】
上記制御手段では、上記シフト操作部の操作が継続されているときにのみ切替後の上記操作入力モードが維持され、上記シフト操作部の操作が解除されることにより切替前の上記操作入力モードに切り替わることを特徴とする請求項１に記載のエレベータ装置。
【請求項７】
上記制御手段では、上記シフト操作部の操作が解除されても切替後の上記操作入力モードが維持されることを特徴とする請求項１に記載のエレベータ装置。
【請求項８】
切替後の上記操作入力モードの維持は、所定の時間が経過した後に解除されることを特徴とする請求項７に記載のエレベータ装置。
【発明の詳細な説明】
【技術分野】
【０００１】
この発明は、かご内に設けられた複数の操作釦の操作によってエレベータの運転が制御されるエレベータ装置に関するものである。
【背景技術】
【０００２】
従来、０及び１〜９の数字ボタンを有するテンキーをかご内操作盤の下方部に設けたエレベータの行先呼び登録装置が提案されている。かご内操作盤の上方部には、複数の行先ボタンが設けられている。行き先階の呼び登録は、テンキーの数字ボタンが操作されることにより行われる。行き先階の呼び登録が行われると、各行先ボタンのうち、呼び登録の対象となった行先ボタンが点灯する。これにより、行き先階の呼び登録のためにかご内操作盤の上方部の行先ボタンを操作する必要がなくなり、上方のボタンに手が届かない子供やお年寄りであっても、行き先階の呼び登録を行うことができる（特許文献１参照）。【０００３】
【特許文献１】特開２００３−２２１１７２号公報
【発明の開示】
【発明が解決しようとする課題】
【０００４】
しかし、従来のエレベータの行先呼び登録装置では、行き先階の数と同数の行先ボタンがかご内操作盤に設けられている。また、テンキーには複数の数字ボタンが設けられている。従って、各行先ボタンやテンキーを設置するために広いスペースが必要になり、かご内操作盤が大形化してしまう。また、テンキーの構造が複雑であるので、製造コストが増大してしまう。さらに、数字ボタンの操作が複雑であるので、行き先階の呼び登録のための操作に手間がかかってしまう。【０００５】
この発明は、上記のような課題を解決するためになされたものであり、かご操作盤の大形化を防止することができるとともに、製造コストの低減化を図ることができ、またエレベータの運転に関する操作を容易にすることができるエレベータ装置を得ることを目的とする。
【課題を解決するための手段】
【０００６】
この発明によるエレベータ装置は、かご内に設けられた複数の操作釦、複数の操作入力モード間で切り替え可能になっており、各操作釦のうち、複数の操作釦を切替対象釦として設定し、各切替対象釦の操作に基づく制御を操作入力モードごとに異なる制御とする制御手段、及びかご内で操作されることにより、操作入力モードを切り替えるシフト操作部を備えている。
【発明の効果】
【０００７】
この発明によるエレベータ装置では、制御手段の操作入力モードがシフト操作部の操作によって切り替えられるとともに、各操作釦のうち、複数の操作釦が切替対象釦として設定され、各切替対象釦の操作に基づく制御手段の制御が操作入力モードごとに異なる制御とされるので、操作入力モードを切り替えることにより、複数種の異なる制御を共通の切替対象釦の操作によって行うことができる。従って、操作釦の個数を少なくすることができ、かご操作盤の大形化を防止することができる。また、シフト操作部によって操作入力モードを切り替えることができるので、構造の複雑なテンキーを設ける必要がなくなり、製造コストの低減化を図ることができる。さらに、複数の操作釦を切替対象釦として設定するので、各切替対象釦の操作による制御をまとめて切り替えることができる。従って、シフト操作部の操作回数を少なくすることができ、エレベータの運転に関する操作を容易にすることができる。
【図面の簡単な説明】
【０００８】
【図１】この発明の実施の形態１によるエレベータ装置を示す概略の構成図である。
【図２】図１のかご操作盤を示す正面図である。
【図３】図２の表示装置の行き先階表示が切り替えられたときのかご操作盤を示す正面図である。
【図４】拡張操作入力モードとされているときの図１の運転制御装置の制御を説明するための表である。
【図５】図１の運転制御装置の処理動作を説明するためのフローチャートである。
【図６】この発明の実施の形態２によるエレベータ装置のかご操作盤を示す正面図である。
【図７】切替後の行き先階操作入力モードとされているときの図６のかご操作盤を示す正面図である。
【発明を実施するための最良の形態】
【０００９】
以下、この発明の好適な実施の形態について図面を参照して説明する。
実施の形態１．
図１は、この発明の実施の形態１によるエレベータ装置を示すブロック図である。図において、建物には、複数の階床に停止可能なかご１を有するエレベータ装置が設けられている。かご１内には、かご操作盤２が設けられている。【００１０】
かご操作盤２には、かご１内でそれぞれ操作可能な複数の行き先階釦３、戸開釦４、戸閉釦５及びシフト釦６と、各行き先階釦３に対応する行き先階を特定するための表示（行き先階表示）を行う表示装置７とが設けられている。各行き先階釦３は、かご１の行き先階を選択するための操作釦である。また、戸開釦４はかご１の出入口（図示せず）を開くための操作釦であり、戸閉釦５はかご１の出入口を閉じるための操作釦である。シフト釦６は、かご操作盤２からの操作による制御を切り替えるためのシフト操作部とされている。【００１１】
表示装置７は、規則的に並べられた複数のＬＥＤを有しており、各ＬＥＤを選択的に点灯させることにより行き先階表示を行う。従って、表示装置７は、各ＬＥＤの点灯の選択を変更することにより、行き先階表示の切り替えが可能になっている。【００１２】
かご操作盤２内には、各行き先階釦３、戸開釦４、戸閉釦５及びシフト釦６のそれぞれからの操作信号を受ける操作検出部８が設けられている。操作検出部８は、各行き先階釦３、戸開釦４、戸閉釦５及びシフト釦６のそれぞれの操作に応じた情報を発生する。【００１３】
また、かご１には、かご１の出入口を開閉するドア装置９と、エレベータの運転に関する情報（例えばかご１の停止階の情報等）をかご１内へ音声により報知するアナウンス装置１０と、かご１内の照明を行う照明装置１１と、表示装置７、ドア装置９、アナウンス装置１０及び照明装置１１のそれぞれの動作を個別に制御するかご搭載制御装置１２とが設けられている。【００１４】
かご１が昇降される昇降路内には、操作検出部８からの情報に基づいてエレベータの運転を制御する運転制御装置１３が設けられている。運転制御装置１３は、操作検出部８からの情報に応じた制御指令を発生する。かご搭載制御装置１２は、運転制御装置１３からの制御指令に基づいて、表示装置７、ドア装置９、アナウンス装置１０及び照明装置１１のそれぞれの動作を制御する。【００１５】
運転制御装置１３の制御は、複数の操作入力モード間で切り替え可能になっている。操作入力モードの切り替えは、複数の行き先階操作入力モード及び複数の拡張操作入力モードのいずれかが選択されることにより行われる。操作入力モードの選択は、シフト釦６の操作によって行われる。【００１６】
運転制御装置１３が各行き先階操作入力モードとされているときには、各行き先階釦３のみが切替対象釦として運転制御装置１３に設定される。運転制御装置１３が各拡張操作入力モードとされているときには、各行き先階釦３、戸開釦４及び戸閉釦５が切替対象釦として運転制御装置１３に設定される。【００１７】
各切替対象釦の操作に基づく運転制御装置１３の制御は、操作入力モードごとに異なっている。従って、運転制御装置１３の操作入力モードが各行き先階操作入力モード間で切り替えられる場合には、各行き先階釦３の操作に基づく制御が行き先階操作入力モードごとに切り替わる。また、運転制御装置１３の操作入力モードが各拡張操作入力モード間で切り替えられる場合には、各行き先階釦３、戸開釦４及び戸閉釦５のそれぞれの操作に基づく制御が拡張操作入力モードごとにそれぞれ切り替わる。【００１８】
運転制御装置１３は、メモリ１４及び運転処理部１５を有している。メモリ１４には、エレベータの運転の制御に関する設定パラメータが格納されている。運転処理部１５は、メモリ１４に格納された設定パラメータのうち、操作検出部８からの情報に応じたパラメータを選択し、選択したパラメータに基づいて制御指令を発生する。即ち、運転制御装置１３は、シフト釦６の操作に応じて操作入力モードが切り替えられ、切り替えられた操作入力モードに応じたパラメータに基づいてエレベータの運転を制御する。【００１９】
図２は、図１のかご操作盤２を示す正面図である。また、図３は、図２の表示装置７の行き先階表示が切り替えられたときのかご操作盤２を示す正面図である。図において、戸開釦４及び戸閉釦５は、各行き先階釦３の下方に配置されている。また、シフト釦６は、戸開釦４及び戸閉釦５の下方に配置されている。【００２０】
表示装置７は、各行き先階釦３に個別に設けられている。従って、表示装置７は、行き先階表示を行き先階釦３ごとに表示する。即ち、行き先階釦３ごとに表示された行き先階表示によってかご１の行き先階が特定される。【００２１】
また、表示装置７は、行き先階操作入力モードごとに異なる階床が行き先階として特定されるようにかご搭載制御装置１２により制御される。即ち、表示装置７は、運転制御装置１３からの制御指令に応じた情報に基づいて、行き先階操作入力モードごとに行き先階表示の切り替えを行う。【００２２】
運転制御装置１３には、互いに異なる基準値が行き先階釦３ごとに個別に設定されている。行き先階表示は、各行き先階釦３について個別に設定された基準値に共通の係数（整数）αを行き先階操作入力モードごとに順次加算することにより、算出される。係数αは、行き先階釦３の個数とされる。【００２３】
この例では、２０階建ての建物の各階床にかご１が停止可能になっている。また、かご操作盤２に設けられた行き先階釦３の個数は１０個とされている。さらに、表示装置７は、切替前の行き先階操作入力モードとされているときに、各行き先階釦３について１階〜１０階を個別に特定する行き先階表示を行い（図２）、切替後の行き先階操作入力モードとされたときに、各行き先階釦３について１１階〜２０階を個別に特定する行き先階表示を行う（図３）。即ち、切替後の行き先階操作入力モードでの表示装置７の行き先階表示は、切替前の行き先階操作入力モードでの行き先階表示に１０階分の係数αをそれぞれ加算した表示とされる。【００２４】
各行き先階操作入力モード間の切り替えは、シフト釦６を操作して（押して）シフト釦６の操作（押圧）を解除することにより行われる。即ち、各行き先階操作入力モード間の切り替えは、シフト釦６を押して離すことにより行われる。切替後の行き先階操作入力モードは、シフト釦６の操作の解除後も維持される。【００２５】
従って、シフト釦６を押して離す度ごとに、行き先階操作入力モードが切り替わり、表示装置７の行き先階表示が切り替わる。【００２６】
図４は、拡張操作入力モードとされているときの図１の運転制御装置１３の制御を説明するための表である。この例では、シフト釦６の操作（押圧）が継続されているときにのみ切替後の拡張操作入力モードが維持され、シフト釦６の操作（押圧）が解除されることにより切替前の拡張操作入力モードに切り替わる。【００２７】
運転制御装置１３は、シフト釦６の操作が継続されている時間が所定の時間を経過したときに（即ち、切替後の拡張操作入力モードの継続時間が所定の時間を経過したときに）、アナウンス装置１０に設けられた防犯ブザーによる警報を発生させる制御指令をかご搭載制御装置１２へ出力する。【００２８】
また、シフト釦６の操作が継続されているとき（即ち、切替後の拡張操作入力モードとされているとき）の運転制御装置１３は、戸開釦４、戸閉釦５及び行き先階釦３のいずれかが操作されることにより、操作された操作釦に応じた制御指令をかご搭載制御装置１２へ出力する。この例では、切替後の拡張操作入力モードとされているときの運転制御装置１３は、戸開釦４が操作されると戸開状態の延長を行う制御指令を出力し、戸閉釦５が操作されると照明装置１１のＯＮ／ＯＦＦ動作の切り替えを行う制御指令を出力し、行き先階釦３が操作されるとアナウンス装置１０による報知（アナウンス）を行う制御指令を出力する。【００２９】
さらに、切替後の拡張操作入力モードとされているときの運転制御装置１３は、戸開釦４及び戸閉釦５がいずれも操作されることにより、戸開状態での待機と、待機状態の解除との切り替えを行う制御指令をかご搭載制御装置１２へ出力する。【００３０】
従って、シフト釦６を押しながら行き先階釦３、戸開釦４及び戸閉釦５の少なくともいずれかを操作することにより、各操作釦の操作による通常動作と異なる動作が行われる。なお、制御手段は、操作検出部８、かご搭載制御装置１２及び運転制御装置１３を有している。【００３１】
次に、動作について説明する。図５は、図１の運転制御装置１３の処理動作を説明するためのフローチャートである。運転制御装置１３は、操作検出部８からの情報に基づいて、シフト釦６が操作されたか否かを常時判定している（Ｓ１）。シフト釦６が操作されていない場合には、シフト釦６の操作の有無が運転制御装置１３により繰り返し判定される。【００３２】
シフト釦６が操作された場合には、運転制御装置１３は、シフト釦６の操作の継続時間が所定の時間を経過しているか否かを判定する（Ｓ２）。所定の時間を経過する前にシフト釦６の操作が解除された場合には、運転制御装置１３は、モード数Ｎを１とすることにより、基準の行き先階操作入力モードから、異なる行き先階操作入力モードに切り替える（Ｓ３）。【００３３】
この後、運転制御装置１３は、シフト釦６が再度操作されたか否かを判定する（Ｓ４）。シフト釦６が再度操作された場合には、運転制御装置１３は、モード数Ｎがあらかじめ設定された最大値（整数値）Ｐであるか否かを判定する（Ｓ５）。【００３４】
モード数Ｎが最大値Ｐでない場合には、運転制御装置１３は、モード数Ｎを（Ｎ＋１）とすることにより、さらに異なる行き先階操作入力モードに切り替える（Ｓ６）。モード数Ｎが最大値Ｐである場合には、運転制御装置１３は、モード数Ｎを０とすることにより、基準の行き先階操作入力モードに切り替える（Ｓ７）。行き先階操作入力モードの切り替え後、運転制御装置１３は、シフト釦６が再度操作されたか否かを判定する（Ｓ４）。【００３５】
シフト釦６の再度の操作がない場合には、運転制御装置１３は、あらかじめ設定された係数（整数）αにモード数Ｎを乗じることにより加算値（α×Ｎ）を算出する（Ｓ８）。この後、運転制御装置１３は、行き先階釦３ごとに設定された各基準値に加算値（α×Ｎ）をそれぞれ加算した値を行き先階表示として表示装置７に表示させる制御指令をかご搭載制御装置１２へ出力する（Ｓ９）。【００３６】
この後、表示装置７は、運転制御装置１３からの制御指令に応じた行き先階表示を行き先階釦３ごとに行う。この後、各行き先階釦３のいずれかが操作されると、操作された行き先階釦３に対応する行き先階の呼び登録が行われる。この例では、行き先階の呼び登録が行われていないときに行き先階表示の色が緑色とされ、呼び登録が行われると行き先階表示の色が赤色に変化する。行き先階の呼び登録が行われると、かご１は、運転制御装置１３の制御により、呼び登録が行われた行き先階へ移動される。【００３７】
一方、所定の時間が経過してもシフト釦６の操作が継続されている場合には、運転制御装置１３は、拡張操作入力モードとされる。このとき、運転制御装置１３は、あらかじめ設定された拡張機能操作時間内に各行き先階釦３、戸開釦４及び戸閉釦５の少なくともいずれかが操作されたか否かを判定する（Ｓ１０）。【００３８】
各行き先階釦３、戸開釦４及び戸閉釦５のいずれの操作もない場合には、運転制御装置１３は、シフト釦６の長押しであると判定し（Ｓ１１）、防犯ブザーによる警報を発生させる制御指令を出力する（Ｓ１２）。【００３９】
各行き先階釦３、戸開釦４及び戸閉釦５の少なくともいずれかが拡張機能操作時間内に操作された場合には、運転制御装置１３は、各操作釦３〜５の操作に応じた制御指令を出力する（Ｓ１３）。【００４０】
この後、運転制御装置１３からの制御指令に応じた制御がドア装置９、アナウンス装置１０及び照明装置１１のそれぞれについて行われる。即ち、行き先階釦３が操作されたときにはエレベータの運転に関する報知がアナウンス装置１０により行われ、戸開釦４が操作されたときには戸開状態の延長がドア装置９により行われ、戸閉釦５が操作されたときにはかご１内の照明のＯＮ／ＯＦＦ動作の切り替えが照明装置１１により行われる。また、戸開釦４及び戸閉釦５が同時に操作されたときには、戸開状態の待機と、待機状態の解除との間の切り替えがドア装置９により行われる。【００４１】
このようなエレベータ装置では、運転制御装置１３の操作入力モードがシフト釦６の操作によって切り替えられるとともに、各操作釦３〜５のうち、複数の操作釦が切替対象釦として設定され、各切替対象釦の操作に基づく運転制御装置１３の制御が操作入力モードごとに異なる制御とされるので、操作入力モードを切り替えることにより、複数種の異なる制御を共通の切替対象釦の操作によって行うことができる。従って、操作釦３〜５の個数を少なくすることができ、かご操作盤２の大形化を防止することができる。これにより、例えば高層建築物の多数の階床に停止可能なかご１であっても、行き先階釦３の個数を少なくすることができ、子供やお年寄りの手が届く低位置に行き先階釦３を配置することができる。また、シフト釦６によって操作入力モードを切り替えることができるので、構造の複雑なテンキーを設ける必要がなくなり、構造を簡単にすることができる。従って、製造コストの低減化を図ることができる。さらに、複数の操作釦を切替対象釦として設定するので、各切替対象釦の操作による制御をまとめて切り替えることができる。従って、シフト釦６の操作回数を少なくすることができ、エレベータの運転に関する操作を容易にすることができる。【００４２】
また、かご１の行き先階表示を行う表示装置７がかご操作盤２に設けられ、運転制御装置１３は、行き先階操作入力モードごとに行き先階表示を切り替えるので、各行き先階釦３によって選択される行き先階が切り替わっても、各行き先階釦３に対応する行き先階をかご１内の乗客に誤って認識させることを防止することができる。【００４３】
また、表示装置７が各行き先階釦３に個別に設けられているので、行き先階釦３ごとに行き先階表示を行うことができる。従って、かご１内の乗客は、各行き先階釦３に対応する行き先階を容易に認識することができる。【００４４】
また、拡張操作入力モードでは、戸開釦４及び戸閉釦５が切替対象釦として設定されるので、行き先階釦３だけでなく、戸開釦４や戸閉釦５の操作によっても複数の異なる制御を行うことができる。【００４５】
また、運転制御装置１３では、シフト釦６の操作が継続されているときにのみ切替後の拡張操作入力モードが維持され、シフト釦６の操作が解除されることにより切替前の拡張操作入力モードに切り替わるので、拡張操作入力モードの切り替えを容易にすることができる。また、シフト釦６の操作の解除により拡張操作入力モードが切替後から切替前に自動的に戻るので、表示をしなくても拡張操作入力モードの誤った認識を防止することができる。【００４６】
また、運転制御装置１３では、シフト釦６の操作が解除されても切替後の行き先階操作入力モードが維持されるので、３以上の行き先階操作入力モード間での切り替えを行うことができる。従って、３種以上の制御を共通の操作釦の操作によって行うことができ、操作釦の個数をさらに少なくすることができる。【００４７】
実施の形態２．
図６は、この発明の実施の形態２によるエレベータ装置のかご操作盤２を示す正面図である。また、図７は、切替後の行き先階操作入力モードとされているときの図６のかご操作盤２を示す正面図である。各行き先階釦３には、互いに異なる基準値が基準表示として個別に表示されている。各行き先階釦３の基準表示は固定表示である。この例では、各行き先階釦３には、基準の行き先階を示す１〜１０の数字が基準表示として表示されている。【００４８】
表示装置２１は、各行き先階釦３と異なる位置に配置されている。この例では、シフト釦６の下方に表示装置２１が配置されている。表示装置２１は、基準表示に加算される加算値を共通の行き先階表示として行き先階操作入力モードごとに表示する。即ち、表示装置２１は、基準の行き先階の数字に加算される階床数を共通の行き先階表示として行き先階操作入力モードごとに表示する。【００４９】
運転制御装置１３には、基準表示として表示された各基準値が行き先階釦３ごとに設定されている。また、運転制御装置１３には、互いに異なるモード数（整数）Ｎが行き先階操作入力モードごとに設定されている。運転制御装置１３は、行き先階操作入力モードに対応するモード数Ｎに係数αを乗じることにより共通の加算値（α×Ｎ）を算出する。表示装置２１には、運転制御装置１３によって算出された共通の加算値（α×Ｎ）が行き先階表示として表示される。【００５０】
なお、この例では、係数αが１０とされている。また、切替前の行き先階操作入力モードでのモード数Ｎが０とされ、切替後の行き先階操作入力モードでのモード数Ｎが１とされている。即ち、切替前の行き先階操作入力モードのときには表示装置２１によって＋０が行き先階表示として表示され（図６）、切替後の行き先階操作入力モードのときには表示装置２１によって＋１０が行き先階表示として表示される（図７）。【００５１】
運転制御装置１３は、各行き先階釦３のいずれかが操作されると、操作された行き先階釦３の基準表示に共通の加算値（α×Ｎ）の階床数分を加算して特定される階床を行き先階として呼び登録する。例えば、＋１０が行き先階表示として表示されているときに、２階の基準表示の行き先階釦３が操作されると、１２階が行き先階として呼び登録される。他の構成及び動作は実施の形態１と同様である。【００５２】
このようなエレベータ装置では、運転制御装置１３が共通の加算値（α×Ｎ）を行き先階操作入力モードごとに算出するようになっており、各行き先階釦３と異なる位置に配置された表示装置２１が共通の加算値（α×Ｎ）の表示を共通の行き先階表示として表示するようになっているので、各行き先階釦３について行き先階を特定することができるとともに、表示装置２１の設置数を１つのみにすることができる。従って、製造コストの低減化をさらに図ることができる。【００５３】
なお、各上記実施の形態では、シフト釦６の操作によって切り替えられた切替後の行き先階操作入力モードは、シフト釦６が再度操作されるまで維持されるようになっているが、再度の操作がなくても所定の時間が経過した後に、切替後の行き先階操作入力モードの維持が解除されるようになっていてもよい。この場合、切替後の行き先階操作入力モードの維持が解除された後、基準の行き先階操作入力モードに切り替わる。【００５４】
また、各上記実施の形態では、シフト釦６の個数が１個のみとされているが、シフト釦６の個数を複数個としてもよい。このようにすれば、各シフト釦６の操作の組み合わせにより、さらに多くの操作入力モード間で切り替えることができ、共通の操作釦の操作による制御の種類をさらに多くすることができる。例えば、２つのシフト釦が同時に操作されながら戸開釦４が操作されることにより、かごの出入口の戸開動作が開始されてから戸閉動作が完了するまでの時間である不干渉時間の延長と、延長の解除との切り替えが行われるようにしてもよい。【００５５】
また、各上記実施の形態では、各行き先階釦３のすべてが切替対象釦として設定されているが、各行き先階釦３の一部のみを切替対象釦として設定してもよい。
【図１】
2008136063.tif 000003
【図２】
2008136063.tif 000004
【図３】
2008136063.tif 000005
【図４】
2008136063.tif 000006
【図５】
2008136063.tif 000007
【図６】
2008136063.tif 000008
【図７】
2008136063.tif 000009
【国際調査報告】
2008136063.tif 000010
2008136063.tif 000011
2008136063.tif 000012